(57)【要約】      （修正有）【課題】従来のコンクリート成形技術を利用して、独創的なデザイン形状とすることができると共に、装飾的な機能等を発揮するための凹部を有する構造を付加することができ、かつ、当該凹部からの排水を円滑に行うことができる水栓パンを提供する。【解決手段】主空間部２０の隔壁２１に主空間と副空間ＳＳ１とを連通する通水孔２２、２５を形成する。底壁３０の上面を、副空間部１０の外形である正八角形の隣接する２つの頂点と排水孔とを結ぶ直線により画定される三角形状の傾斜底面３３，３８により構成することで、傾斜底面が、副空間ＳＳ１から主空間へと向かって下方に傾斜して排水孔まで延びるようにすることで、副空間ＳＳ１の水を通水孔２２、２５を介して主空間に案内して排水孔に排水する。【選択図】図１
2013108296.tif 000002
【特許請求の範囲】
【請求項１】
コンクリート成形品からなる水栓パンであって、
底壁と、
前記底壁の内側に主空間を形成するよう隔壁を立設してなる主空間部と、
前記底壁の外側に、前記主空間を包囲する副空間を形成するよう周壁を立設してなる副空間部とを備え、
前記主空間部の隔壁には、その主空間と前記副空間部の副空間とを連通する通水孔を形成し、
前記底壁における前記主空間部分には、前記主空間部の主空間と連通する貫通孔としての排水孔を形成し、
前記底壁の上面を、前記副空間部の周壁の外形を多角形と把握した場合に、当該多角形の隣接する２つの頂点と前記排水孔とを結ぶ直線により画定される三角形状の傾斜底面により構成することで、前記多角形に応じた個数の傾斜底面が、前記副空間から前記主空間へと向かって下方に傾斜して前記排水孔まで延びるようにすると共に、前記多角形に応じた個数の傾斜底面のうち、少なくともその一部が前記隔壁の通水孔を通過する傾斜底面により、前記副空間の水を前記主空間に案内して前記排水孔に排水するようにしたことを特徴とする水栓パン。
【請求項２】
前記隔壁の通水孔は、前記副空間側から前記主空間側へと向かって拡径するテーパー状の断面形状を有すると共に、当該通水孔の下面は、前記傾斜底面のうち当該通水孔を通過する傾斜底面の傾斜角度と同一の角度で傾斜して、当該通水孔を通過する傾斜底面の一部を構成することを特徴とする請求項１の水栓パン。
【請求項３】
前記排水孔は、前記底壁の前記主空間部分の平面方向における中心位置から偏心した位置に配置され、
前記多角形に応じた個数の傾斜底面は、それぞれ、前記平面方向に偏心した排水孔の配置位置に応じて、異なる形状の三角形状となると共に、異なる傾斜角度となることを特徴とする請求項１または２記載の水栓パン。
【請求項４】
コンクリート成形品からなる水栓パンであって、
所定の平面多角形状の外形を有する底壁と、
前記底壁の内側に主空間を形成するよう３個以上の複数の隔壁を立設することで、当該隔壁の個数に対応する所定の平面多角形状の外形を有するよう形成される主空間部と、
前記底壁の外形の多角形状の辺を構成する外側縁に、それぞれ、前記主空間を包囲する副空間を形成するよう、前記底壁の外形の多角形状の辺の数と同一の複数の周壁を立設することで、前記底壁と同一の外形を有するよう形成される副空間部とを備え、
前記主空間部の隔壁のコーナー部と前記副空間部の周壁の対応する位置とを、それぞれ、区画壁により連結して、前記副空間部の副空間を前記区画壁により複数の副空間に区画し、
前記主空間部の隔壁には、それぞれ、前記主空間と前記副空間部の副空間とをそれぞれ連通する通水孔を形成し、
前記底壁における前記主空間部分には、前記主空間部の主空間と連通する垂直な貫通孔としての排水孔を形成し、
前記底壁の上面を、前記副空間部の多角形の隣接する２つの頂点と前記排水孔とを結ぶ直線により画定される三角形状の傾斜底面により構成することで、前記多角形に応じた個数の傾斜底面が、前記副空間から前記主空間へと向かって下方に傾斜して前記排水孔まで延びるようにすると共に、前記多角形に応じた個数の傾斜底面のうち、少なくともその一部が前記隔壁の通水孔を通過する傾斜底面により、前記副空間の水を前記主空間に案内して前記排水孔に排水するようにしたことを特徴とする水栓パン。
【請求項５】
コンクリート成形品からなる水栓パンであって、
平面正八角形状の外形を有する底壁と、
前記底壁の内側に主空間を形成するよう４個の隔壁を立設することで、平面正方形状の外形を有するよう形成される主空間部と、
前記底壁の外形の正八角形の辺を構成する外側縁に、それぞれ、前記主空間を包囲する副空間を形成するよう、８個の周壁を立設することで正八角形の外形を有するよう形成される副空間部とを備え、
前記正方形の外形の主空間部のコーナー部が前記正八角形の副空間部の８個の周壁のうちの一つ置きの周壁の周方向の中央位置に対向するよう、前記主空間部と前記副空間部との相対位置関係を設定し、
前記主空間部の隔壁のコーナー部と前記副空間部の周壁の対向位置とを、それぞれ、区画壁により連結して、前記副空間部の副空間を前記区画壁により４個の副空間に区画し、
前記主空間部の４個の隔壁には、それぞれ、前記主空間と前記副空間部の副空間とをそれぞれ連通する通水孔を形成し、
前記底壁における前記主空間部分には、前記主空間部の主空間と連通する垂直な貫通孔としての排水孔を形成し、
前記底壁の上面を、前記副空間部の正八角形の隣接する２つの頂点と前記排水孔とを結ぶ直線により画定される三角形状の傾斜底面により構成することで、８個の傾斜底面が、前記副空間から前記主空間へと向かって下方に傾斜して前記排水孔まで延びるようにすると共に、前記８個の傾斜底面のうちの一部の個数の傾斜底面が、少なくともその一部で前記隔壁の通水孔のいずれかを通過するようにし、当該一部の個数の傾斜底面により、前記副空間の水を前記隔壁の通水孔を介して前記主空間に案内して前記排水孔に排水する一方で、前記８個の傾斜底面のうちの残りの個数の傾斜底面は、前記隔壁部分の端縁が当該隔壁の通水孔に向かって下方に傾斜するようにして、当該隔壁部分の端縁に沿って当該隔壁の通水孔に向かって水を案内し、当該隔壁の通水孔を介して前記副空間の水を前記主空間に案内して前記排水孔に排水するようにしたことを特徴とする水栓パン。
【発明の詳細な説明】
【技術分野】
【０００１】
本発明は、水栓柱の水栓からの水を受けて排水する水栓パンに関し、特に、水受け部分をコンクリートにより一体成形してなる水栓パンに関する。
【背景技術】
【０００２】
従来、庭や駐車スペース等の所定の場所に散水栓を設置して手洗い等のための給水等をする際に、散水栓の高さ位置が使用者の作業が容易な位置となるよう、水栓柱を設置して水栓中の上端部等に散水栓を取り付けることがある。この場合、水栓柱の散水栓からの給水は、そのまま設置場所に落下して排水（地中に浸透等）されることになるが、かかる排水を受けて所定の排水経路に流すよう、水栓中の下側に水栓パンを配設することもある。この種の水栓パンは、「水受け」または「洗い場」とも呼ばれており、例えば、特許文献１または特許文献２にコンクリート製の洗い場が開示されている。特許文献１には、コンクリート製の洗い場の排水口の下側に別体のトラップ桝を配置した発明が開示されている（請求項１）。この洗い場は、扁平容器状であり、一側縁には蛇口の付いた水栓柱が立設され、また側縁を凹陥させて排水口を有し格子枠が被着される足洗い場が形成されている（段落０００６）。なお、トラップ桝は、洗い場とは別体とされ（段落０００７）、その桝本体は洗い場の底部排水口の下側に配置されている（段落０００８）。そして、トラップ桝には洗い場からの水が蓋の導入管を介して流入し、また洗い場から足洗い場の排水口へオーバーフローした水は排水管を介して流入し、該水に混入している泥やゴミは濾籠内に除去蓄積され、該水は排水管から排出されるようになっている（段落０００９）。また、特許文献２の発明では、コンクリート製の洗い場は略直方体で、住宅の庭、車庫、公園等の屋外に設置されており、一方の隅には湯水を排水するための排水口が設けられると共に、水栓柱が洗い場の後方から立設するようにして固定されている（段落００１７）。
【先行技術文献】
【特許文献】
【０００３】
【特許文献１】実用新案登録第２５９７９７０号公報
【特許文献２】特開２００５−１２０７１７号公報
【発明の概要】
【発明が解決しようとする課題】
【０００４】
ここで、洗い場や水栓パンをコンクリート材料により一体成形する場合、セメント材料を所定の（水栓パンの形状に対応する）形状の金型に充填し、セメント材料の固化後に、当該セメントの固化物であるコンクリート製品（本発明の場合は水栓パン）を金型から型抜きして脱型するが、型抜作業等の関係で、水栓パンを複雑な形状とするには限界があることから、特許文献１や特許文献に記載のコンクリート製の洗い場は、基本的に矩形箱状の単純形状に形成されている。一方、近年の消費者の嗜好の多様化に伴い、コンクリート製の水栓パンであっても独創的なデザイン形状とすることが望ましく、また、単に従来の洗い場としての機能以外に、装飾的な機能等の他の機能を付加することができれば更に望ましい。その一方、水栓パンを独創的なデザイン形状としたり、水栓パンに対して洗い場としての機能以外に装飾的な機能等の他の機能を付加したりする場合、水栓パンの形状が一般的には複雑化するため、所望の製品形状を得るためのコンクリート成形技術について改善が必要となり、また、付加機能部分に凹部が設けられる場合、水栓中の給水栓からの水或いは雨水等がその凹部に溜まることとなり、その場合に、その凹部からの排水設計についても検討する必要がある。
【０００５】
そこで、本発明は、従来のコンクリート成形技術を利用して、独創的なデザイン形状とすることができると共に、水栓パンに対して洗い場としての機能以外に装飾的な機能等を発揮するための凹部を有する構造を付加することができ、かつ、水栓中の給水栓からの水或いは雨水等が付加機能部分の凹部に溜まった場合の当該凹部からの排水を円滑に行うことができる水栓パンの提供を課題とする。
【課題を解決するための手段】
【０００６】
請求項１に係る水栓パンは、コンクリート成形品からなる水栓パンであって、底壁と、前記底壁の内側に主空間を形成するよう隔壁を立設してなる主空間部と、前記底壁の外側に、前記主空間を包囲する副空間を形成するよう周壁を立設してなる副空間部とを備える。前記主空間部の隔壁には、その主空間と前記副空間部の副空間とを連通する通水孔を形成している。また、前記底壁における前記主空間部分には、前記主空間部の主空間と連通する貫通孔としての排水孔を形成している。更に、前記底壁の上面を、前記副空間部の周壁の外形を多角形と把握した場合に、当該多角形の隣接する２つの頂点と前記排水孔とを結ぶ直線により画定される三角形状の傾斜底面により構成することで、前記多角形に応じた個数の傾斜底面が、前記副空間から前記主空間へと向かって下方に傾斜して前記排水孔まで延びるようにすると共に、前記多角形に応じた個数の傾斜底面のうち、少なくともその一部が前記隔壁の通水孔を通過する傾斜底面により、前記副空間の水を前記主空間に案内して前記排水孔に排水するようにしている。
【０００７】
請求項２に係る水栓パンは、請求項１の構成において、前記隔壁の通水孔が、前記副空間側から前記主空間側へと向かって拡径するテーパー状の断面形状を有すると共に、当該通水孔の下面は、前記傾斜底面のうち当該通水孔を通過する傾斜底面の傾斜角度と同一の角度で傾斜して、当該通水孔を通過する傾斜底面の一部を構成するようにしている。
【０００８】
請求項３に係る水栓パンは、請求項１または２の構成において、前記排水孔を、前記底壁の前記主空間部分の平面方向における中心位置から偏心した位置に配置している。また、前記多角形に応じた個数の傾斜底面は、それぞれ、前記平面方向に偏心した排水孔の配置位置に応じて、異なる形状の三角形状となると共に、異なる傾斜角度となるようにしている。
【０００９】
請求項４に係る水栓パンは、コンクリート成形品からなる水栓パンであって、底壁、主空間部及び副空間部を備える。底壁は、所定の平面多角形状の外形を有する。また、副空間部は、前記底壁の内側に主空間を形成するよう３個以上の複数の隔壁を立設することで、当該隔壁の個数に対応する所定の平面多角形状の外形を有するよう形成される。更に、副空間部は、前記底壁の外形の多角形状の辺を構成する外側縁に、それぞれ、前記主空間を包囲する副空間を形成するよう、前記底壁の外形の多角形状の辺の数と同一の複数の周壁を立設することで、前記底壁と同一の外形を有するよう形成される。そして、前記主空間部の隔壁のコーナー部と前記副空間部の周壁の対応する位置とを、それぞれ、区画壁により連結して、前記副空間部の副空間を前記区画壁により複数の副空間に区画している。また、前記主空間部の隔壁には、それぞれ、前記主空間と前記副空間部の副空間とをそれぞれ連通する通水孔を形成している。更に、前記底壁における前記主空間部分には、前記主空間部の主空間と連通する垂直な貫通孔としての排水孔を形成している。そして、前記底壁の上面を、前記副空間部の多角形の隣接する２つの頂点と前記排水孔とを結ぶ直線により画定される三角形状の傾斜底面により構成することで、前記多角形に応じた個数の傾斜底面が、前記副空間から前記主空間へと向かって下方に傾斜して前記排水孔まで延びるようにすると共に、前記多角形に応じた個数の傾斜底面のうち、少なくともその一部が前記隔壁の通水孔を通過する傾斜底面により、前記副空間の水を前記主空間に案内して前記排水孔に排水するようにしている。
【００１０】
請求項５に係る水栓パンは、コンクリート成形品からなる水栓パンであって、底壁、主空間部及び副空間部を備える。底壁は、平面正八角形状の外形を有する。また、主空間部は、前記底壁の内側に主空間を形成するよう４個の隔壁を立設することで、平面正方形状の外形を有するよう形成される。更に、副空間部は、前記底壁の外形の正八角形の辺を構成する外側縁に、それぞれ、前記主空間を包囲する副空間を形成するよう、８個の周壁を立設することで正八角形の外形を有するよう形成される。そして、前記正方形の外形の主空間部のコーナー部が前記正八角形の副空間部の８個の周壁のうちの一つ置きの周壁の周方向の中央位置に対向するよう、前記主空間部と前記副空間部との相対位置関係を設定している。また、前記主空間部の隔壁のコーナー部と前記副空間部の周壁の対向位置とを、それぞれ、区画壁により連結して、前記副空間部の副空間を前記区画壁により４個の副空間に区画している。更に、前記主空間部の４個の隔壁には、それぞれ、前記主空間と前記副空間部の副空間とをそれぞれ連通する通水孔を形成している。更にまた、前記底壁における前記主空間部分には、前記主空間部の主空間と連通する垂直な貫通孔としての排水孔を形成している。そして、前記底壁の上面を、前記副空間部の正八角形の隣接する２つの頂点と前記排水孔とを結ぶ直線により画定される三角形状の傾斜底面により構成することで、８個の傾斜底面が、前記副空間から前記主空間へと向かって下方に傾斜して前記排水孔まで延びるようにすると共に、前記８個の傾斜底面のうちの一部の個数の傾斜底面が、少なくともその一部で前記隔壁の通水孔のいずれかを通過するようにし、当該一部の個数の傾斜底面により、前記副空間の水を前記隔壁の通水孔を介して前記主空間に案内して前記排水孔に排水する一方で、前記８個の傾斜底面のうちの残りの個数の傾斜底面は、前記隔壁部分の端縁が当該隔壁の通水孔に向かって下方に傾斜するようにして、当該隔壁部分の端縁に沿って当該隔壁の通水孔に向かって水を案内し、当該隔壁の通水孔を介して前記副空間の水を前記主空間に案内して前記排水孔に排水するようにしている。
【発明の効果】
【００１１】
請求項１に係る水栓パンは、従来のコンクリート成形技術を利用して、独創的なデザイン形状とすることができると共に、水栓パンに対して洗い場としての機能以外に装飾的な機能等を発揮するための凹部としての副空間を有する構造を付加することができ、かつ、水栓中の給水栓からの水或いは雨水等が付加機能部分の凹部としての副空間に溜まった場合の当該副空間からの排水を円滑に行うことができるという特有の効果を発揮する。
【００１２】
請求項２に係る水栓パンは、請求項１の効果に加え、隔壁の通水孔が、副空間から主空間へと向かう方向に拡径するテーパー状となるため、成形時の型抜きが容易になることに加え、更に、通水孔の下面の傾斜角度が対応する傾斜底面の傾斜角度と同一となって当該傾斜底面の一部を通水孔が形成することになるため、成形用の成形型において当該通水孔部分に別個の設計を必要とすることがなく、成形コストを削減することができ、かつ、傾斜底面と同一傾斜角度の（傾斜底面の一部を構成する）通水孔により、副空間の水を主空間へと円滑に案内することができるという特有の効果を発揮する。
【００１３】
請求項３に係る水栓パンは、請求項１または２の効果に加え、底壁の排水孔を主空間の中心位置から偏心した位置に配置しているため、水栓パンの設置時に底壁の下方の地中に配設される（水栓中への給水用の）配管の配設経路と干渉しない位置に排水孔が配置されるよう、水栓パンの設置場所における設置位置（即ち、設置場所に既に配設された配管及び水栓柱に対する位置関係）を容易に設定することができる。
【００１４】
請求項４に係る水栓パンは、従来のコンクリート成形技術を利用して、多角形状を基調とした独創的なデザイン形状とすることができると共に、水栓パンに対して洗い場としての機能以外に装飾的な機能等を発揮するための凹部としての副空間を有する構造を付加することができ、かつ、水栓中の給水栓からの水或いは雨水等が付加機能部分の凹部としての副空間に溜まった場合の当該副空間からの排水を円滑に行うことができるという特有の効果を発揮する。
【００１５】
請求項５に係る水栓パンは、従来のコンクリート成形技術を利用して、正八角形の内側に正方形を配置するという独創的なデザイン形状とすることができると共に、水栓パンに対して洗い場としての機能以外に装飾的な機能等を発揮するための凹部としての４個の副空間を有する構造を付加することができ、かつ、水栓中の給水栓からの水或いは雨水等が付加機能部分の４個の副空間に溜まった場合の当該副空間からの排水を円滑に行うことができるという特有の効果を発揮する。
【図面の簡単な説明】
【００１６】
【図１】図１は本発明の実施の形態１に係る水栓パンの設置状態を（水栓柱と共に）示す斜視図である。
【図２】図２は本発明の実施の形態１に係る水栓パンの斜視図である。
【図３】図３は本発明の実施の形態１に係る水栓パンの平面図である。
【図４】図４は本発明の実施の形態１に係る水栓パン（平面正八角形状）からグレーチングを取り外して主空間の内部構成を示す平面図である。
【図５】図５は本発明の実施の形態１に係る水栓パンの底面図である。
【図６】図６は本発明の実施の形態１に係る水栓パンの正面図である。
【図７】図７は本発明の実施の形態１に係る水栓パンの側面図である。
【図８】図８は図１のＡ−Ａ線断面図であり、本発明の実施の形態１に係る水栓パンの内部空間構造を示す。
【図９】図９は図１のＢ−Ｂ線断面図であり、本発明の実施の形態１に係る水栓パンの内部空間構造を図８と別の角度から見て示す。
【図１０】図１０は本発明の実施の形態２に係る水栓パン（平面正六角形状）からグレーチングを取り外して主空間の内部構成を示す平面図である。
【図１１】図１１は本発明の実施の形態３に係る水栓パン（平面正方形状）からグレーチングを取り外して主空間の内部構成を示す平面図である。
【図１２】図１２は本発明の実施の形態４に係る水栓パン（平面正円形状）からグレーチングを取り外して主空間の内部構成を示す平面図である。
【発明を実施するための形態】
【００１７】
以下、本発明を実施するための形態（以下、実施の形態という）を説明する。なお、各実施の形態を通じ、同一の部材、要素または部分には同一の符号を付して、その説明を省略する。
【００１８】
実施の形態１
［全体構成］
本発明に係る水栓パンは、図１に示すように、水栓柱１の周辺に配置して使用されるものであり、「水受け」または「洗い場」とも呼ばれるものである。なお、水栓柱１は、庭園や一般家庭の駐車場等、所定の設置場所に立設して固定的に設置されるものであり、散水用の給水栓（即ち、「散水栓」）２を上端部（及び／または、下端部等の他の部位）に取付けてなるものである。また、水栓柱１の内部には、その軸方向（設置時の上下方向）に延びる通水用の配管（即ち、「通水管」）が配設されており、通水管の先端である上流端に前記散水栓２が装着されて、散水栓２を介して、通水管からの水を給水または遮水自在となっている。ここで、本発明の実施の形態１に係る水栓パンは、このような水栓柱１の散水栓２からの水を受けて、その水が水栓柱１の周囲の意図しない部位に飛散しないようにし、かつ、散水栓２からの水を所定の排水経路に円滑に排水することを主目的として、水栓柱１の近傍に配設される。そして、実施の形態１の水栓パンは、図１及び図２に示すように、副空間部１０、主空間部２０、及び、ＦＲＰ（繊維強化プラスチック）等からなるグレーチング５０を備えている。図３に示すように、副空間部１０は主空間部２０を完全に包囲するものであり、主空間部２０の四方の周囲に凹部を配設して当該凹部による付加機能を実現するためのものである。
【００１９】
［主空間部］
図１〜図３に示すように、実施の形態１の水栓パンは、底壁３０に主空間部２０及び副空間部１０を一体形成している。詳細には、底壁３０は、図３〜図５に示すように、平面視で正八角形の外形（即ち、外周縁により画定される輪郭形状）を有している。また、主空間部２０は、横長長方形の平板状をなす４個の隔壁２１をそれらの両端で一体的に連結して正方形枠状とし、当該正方形枠状をなす内側枠体としての内周壁を、前記底壁３０の上面における内側の所定位置に立設して固定している。具体的には、隔壁２１は、正八角形の底壁３０の合計８個の辺のうち、一つ置きの４個の辺と第１の所定間隔をおいて平行になるよう配置されている。これにより、隔壁２１は、残りの一つ置きの４個の辺と４５度の角度で交差し、隣接する隔壁２１間のコーナー部（角隅部）が、残りの一つ置きの４個の辺の長さ方向中央位置に第２の所定間隔（前記第１の所定間隔より小さい間隔）をおいて対向配置されている。即ち、４個の隔壁２１からなる正方形枠状の内周壁は、正八角形状の底壁３０の中央部の主要面積範囲を占めると共に、正方形の各辺を構成する隔壁２１が、正八角形の一つ置きの辺に対して平行に配置され、かつ、各コーナー部が残りの一つ置きの辺に対して４５度の角度で交差して配置されるよう、その配置態様が設定されている。そして、底壁３０のうち、前記４個の隔壁２１（即ち、内周壁）により囲まれる内側の正方形部分と、当該４個の隔壁２１とにより、前記主空間部２０が形成され、４個の隔壁２１の内側面と底壁３０の前記正方形部分の上面とにより、水栓柱１の散水栓２からの水を受ける水受け空間としての主空間ＭＳが形成されている。
【００２０】
前記内周壁を構成する各隔壁２１は、所定高さ（底壁３０の上面からの突出高さ）で所定長さ（左右方向寸法）を有する長方形板状をなし、その厚さ方向の両側にある上端縁は面取りされて面取部となっている。また、４個の隔壁２１の所定位置には、それぞれ、通水孔２２，２３，２４，２５が厚さ方向に貫通して形成されている。なお、説明の便宜上、４個の隔壁２１を第１〜第４の隔壁２１と称し、４個の通水孔２２〜２５を第１〜第４の通水孔２２〜２５と称すると、第１〜第４の隔壁２１及び第１〜第４の通水孔２２〜２５は、後述する排水孔の手前側の位置から時計回り方向に順に配置されている。即ち、図３及び図４に示すように、左下側の隔壁２１である第１の隔壁２１には第１の通水孔２２が形成され、左上側の隔壁２１である第２の隔壁２１には第２の通水孔２３が形成され、右上側の隔壁２１である第３の隔壁２１には第３の通水孔２４が形成され、右下側の隔壁２１である第４の隔壁２１には第４の通水孔２５が形成されている。また、第１の通水孔２２は、第１の隔壁２１の左端側の略半部に形成され、第２の通水孔２３は、第２の隔壁２１の右端側の略半部に形成され、第３の通水孔２４は、第３の隔壁２１の右端側の略半部に形成され、第４の通水孔２５は、第４の隔壁２１の左端側の略半部に形成されている。
【００２１】
更に、図３及び図４に示すように、第１〜第４の通水孔２２〜２５は、それぞれ、平面視で、主空間部２０の外方から内方（主空間ＭＳ側）に向かって所定テーパー率で拡径するテーパー状の貫通空間となっている。詳細には、第１の通水孔２２は、その右端面２２ａが隔壁２１の長さ方向と所定の傾斜角度で（直交以外の角度で）交差して延びる（即ち、厚さ方向に交差して延びる）傾斜端面状をなし、その左端面２２ｂが隔壁２１の長さ方向と直交して延びる（即ち、厚さ方向に延びる）直交端面状をなしている。また、第２の通水孔２３は、その右端面２３ａが隔壁２１の長さ方向と直交して延びる直交端面状をなし、その左端面２３ｂが隔壁２１の長さ方向と所定の傾斜角度で交差して延びる傾斜端面状となっている。また、第３の通水孔２４は、第２の通水孔と同様、その右端面２４ａが隔壁２１の長さ方向と直交して延びる直交端面状をなし、その左端面２４ｂが隔壁２１の長さ方向と所定の傾斜角度で交差して延びる傾斜端面状となっている。また、第４の通水孔２５は、第１の通水孔２２と同様、その右端面２５ａが隔壁２１の長さ方向と所定の傾斜角度で交差して延びる傾斜端面状をなし、その左端面２５ｂが隔壁２１の長さ方向と直交して延びる直交端面状をなしている。このように、第１〜第４の通水孔２２〜２５は、隔壁２１のコーナー部に近接する側の端面（左端面２２ｂ、右端面２３ａ、右端面２４ａ、左端面２５ｂ）が直交端面とされ、隔壁２１のコーナー部から離間する側の端面（右端面２２ａ、左端面２３ｂ、左端面２４ｂ、右端面２５ａ）が傾斜端面とされている。
【００２２】
［支持部］
図４に示すように、第１〜第４の隔壁２１の内面側には、それぞれ、第１の支持部２６、第２の支持部２７、第３の支持部２８及び第４の支持部２９が一体形成されている。第１〜第４の支持部２６〜２９は、協働して、前記グレーチング５０を下方から支持するものであるが、各々は異なる形状に形成されている。即ち、第１の支持部２６は、第１の隔壁２１と第２の隔壁２１との間のコーナー部の内側面角部において、前記第１の通水孔２２及び第２の通水孔２３と干渉しない位置に配設される（小寸法の）Ｌ字状またはアングル状のブロック体である。本実施の形態では、第１の支持部２６は、第１の通水孔２２及び第２の通水孔２３と干渉しない範囲で最大寸法となるよう（即ち、第１の通水孔２２及び第２の通水孔２３の直近位置まで延設されるよう）設けられている。具体的には、第１の支持部２６は、右端面２６ａが第１の通水孔２２の左端面２２ｂと面一となるよう（即ち、左端面２２ｂに連続して隔壁２１の長さ方向と直交して延びる直交端面状となるよう）、かつ、左端面２６ｂが第２の通水孔２３の右端面２３ａと面一となるよう（即ち、右端面２３ａに連続して隔壁２１の長さ方向と直交して延びる直交端面状となるよう）、その寸法並びに右端面２６ａ及び左端面２６ｂの端面形状が設定されている。
【００２３】
第２の支持部２７は、第２の隔壁２１と第３の隔壁２１との間のコーナー部の内側面角部において、前記第２の通水孔２３及び第３の通水孔２４と干渉しない位置に配設される（縦方向に延長した）Ｌ字状またはアングル状のブロック体である。本実施の形態では、第２の支持部２７は、第２の通水孔２３及び第３の通水孔２４と干渉しない範囲で最大寸法となるよう（即ち、第２の通水孔２３及び第３の通水孔２４の直近位置まで延設されるよう）設けられている。具体的には、第２の支持部２７は、右端面２７ａが第２の通水孔２３の左端面２３ｂと面一となるよう（即ち、左端面２３ｂに連続して隔壁２１の長さ方向と所定角度で交差して延びる傾斜端面状となるよう）、かつ、左端面２７ｂが第３の通水孔２４の右端面２４ａと面一となるよう（即ち、右端面２４ａに連続して隔壁２１の長さ方向と直交して延びる直交端面状となるよう）、その寸法並びに右端面２７ａ及び左端面２７ｂの端面形状が設定されている。また、第３の支持部２８は、第３の隔壁２１と第４の隔壁２１との間のコーナー部の内側面角部において、前記第３の通水孔２４及び第４の通水孔２５と干渉しない位置に配設される（大寸法の）Ｌ字状またはアングル状のブロック体である。本実施の形態では、第３の支持部２８は、第３の通水孔２４及び第４の通水孔２５と干渉しない範囲で最大寸法となるよう（即ち、第３の通水孔２４及び第４の通水孔２５の直近位置まで延設されるよう）設けられている。具体的には、第３の支持部２８は、右端面２８ａが第３の通水孔２４の左端面２４ｂと面一となるよう（即ち、左端面２４ｂに連続して隔壁２１の長さ方向と所定角度で交差して延びる傾斜端面状となるよう）、かつ、左端面２８ｂが第４の通水孔２５の右端面２５ａと面一となるよう（即ち、右端面２５ａに連続して隔壁２１の長さ方向と所定角度で交差して延びる傾斜端面状となるよう）、その寸法並びに右端面２８ａ及び左端面２８ｂの端面形状が設定されている。
【００２４】
第４の支持部２９は、第４の隔壁２１と第１の隔壁２１との間のコーナー部の内側面角部において、前記第４の通水孔２５及び第１の通水孔２２と干渉しない位置に配設される（縦方向に延長した）Ｌ字状またはアングル状のブロック体であって、第２の支持部２９と同様の形状である。本実施の形態では、第４の支持部２９は、第４の通水孔２５及び第１の通水孔２２と干渉しない範囲で最大寸法となるよう（即ち、第４の通水孔２５及び第１の通水孔２２の直近位置まで延設されるよう）設けられている。具体的には、第４の支持部２９は、右端面２９ａが第４の通水孔２５の左端面２５ｂと面一となるよう（即ち、左端面２５ｂに連続して隔壁２１の長さ方向と直交して延びる直交端面状となるよう）、かつ、左端面２９ｂが第１の通水孔２２の右端面２２ａと面一となるよう（即ち、右端面２２ａに連続して隔壁２１の長さ方向と交差して延びる傾斜端面状となるよう）、その寸法並びに右端面２９ａ及び左端面２９ｂの端面形状が設定されている。
【００２５】
［グレーチングとの関係］
なお、第１〜第４の支持部２６〜２９の幅方向両側（内周側及び外周側）の上端縁は、それぞれ面取りされて面取部となっている。また、第１〜第４の支持部２６〜２９の高さは全て同一に設定され、それらの上端面は、同一水平面上に面一となって配置される。具体的には、第１〜第４の支持部２６〜２９は、それらの上端面が前記周壁２１の上端面よりも前記グレーチング５０の厚さ寸法分だけ低くなる位置に来るよう、その高さが設定されている。一方、グレーチング５０は、主空間部２０の隔壁２１により囲まれる内側面と整合する寸法の正方形状格子枠体である。そして、図４に示す状態から図３に示す状態となるように、グレーチング５０を主空間部２０の内側面に落とし込んで嵌合することにより、グレーチング５０の下側面が前記第１〜第４の支持部２６〜２９の上端面により支持され、グレーチング５０が主空間部２０の上端開口側を覆うようになっている。そして、この状態で、主空間部２０に落下した水は、グレーチング５０の格子間の貫通空間から主空間部２０の内部空間（主空間ＭＳ）へと通過するようになっている。
【００２６】
［副空間部］
図１〜図３に示すように、副空間部１０は、横長長方形の平板状をなす８個の周壁１１をそれらの両端で一体的に連結して正八角形枠状とし、当該正八角形枠状をなす外側枠体としての外周壁を、前記底壁３０の上面における外周縁位置に立設して固定している。具体的には、周壁１１は、正八角形の底壁３０の合計８個の辺上に配置され、これにより、底壁３０のうち、前記８個の周壁１１（外周壁）及び前記４個の隔壁２１（内周壁）間の環状部分と、当該８個の周壁１１及び４個の隔壁２１とにより、前記副空間部１０が形成され、８個の周壁１１の内側面と４個の隔壁２１の外側面と底壁３０の前記環状部分の上面とにより、主空間部２０の周囲で装飾機能等の追加機能を発揮するための副空間が形成されている。
【００２７】
前記外周壁を構成する各周壁１１は、所定高さ（底壁３０の上面からの突出高さ）で所定長さ（左右方向寸法）を有する長方形板状をなし、その厚さ方向の両側にある上端縁は面取りされて面取部となっている。本実施の形態では、周壁１１の高さは、前記隔壁２１の高さと同一に設定されている。更に、副空間部１０の副空間は、前記主空間部２０を構成する隔壁２１のコーナー部の数と同一数（即ち、本実施の形態では４個）の区画壁１３により、前記隔壁の数と同一数（即ち、本実施の形態では４個）の副空間に区画または分割されている。区画壁１３は、所定高さ（底壁３０の上面からの突出高さ）で所定長さ（左右方向寸法）を有する長方形板状をなし、その厚さ方向の両側にある上端縁は面取りされて面取部となっている。本実施の形態では、区画壁１３の高さは、前記隔壁２１及び周壁１１の高さと同一に設定されている。なお、説明の便宜上、８個の周壁１１を第１〜第８の周壁１１と称し、４個の区画壁１３を第１〜第４の区画壁１３と称すると、図３及び図４中の左側にある第１の周壁１１は、前記第１及び第２の隔壁２１間のコーナー部の頂点と対向し、当該第１の周壁１１の中央位置と第１及び第２の隔壁２１間のコーナー部との間を第１の区画壁１３が連結している。また、左上側にある第２の周壁１１は、前記第２の隔壁２１と平行となる。更に、上側にある第３の周壁１１は、前記第２及び第３の隔壁２１間のコーナー部の頂点と対向し、当該第３の周壁１１の中央位置と第２及び第３の隔壁２１間のコーナー部との間を第２の区画壁１３が連結している。また、右上側にある第４の周壁１１は、前記第３の隔壁２１と平行となる。更に、右側にある第５の周壁１１は、前記第３及び第４の隔壁２１間のコーナー部の頂点と対向し、当該第５の周壁１１の中央位置と第３及び第４の隔壁２１間のコーナー部との間を第３の区画壁１３が連結している。また、右下側にある第６の周壁１１は、前記第４の隔壁２１と平行となる。更に、下側にある第７の周壁１１は、前記第４及び第１の隔壁２１間のコーナー部の頂点と対向し、当該第７の周壁１１の中央位置と第４及び第１の隔壁２１間のコーナー部との間を第４の区画壁１３が連結している。また、左下側にある第８の周壁１１は、前記第１の隔壁２１と平行となる。
【００２８】
［副空間部］
上記のように構成される副空間部１０は、主空間部２０の四方の周囲で、４個の隔壁２１に並行する態様で、４個の副空間ＳＳ１〜ＳＳ４を形成している。詳細には、第１の隔壁２１の側方には、第１の副空間ＳＳ１（図３及び図４中の左下側の空間）が形成され、第２の隔壁２１の側方には、第２の副空間ＳＳ２（図３及び図４中の左上側の空間）が形成され、第３の隔壁２１の側方には、第３の副空間ＳＳ３（図３及び図４中の右上側の空間）が形成され、第１の隔壁２１の側方には、第４の副空間ＳＳ４（図３及び図４中の右下側の空間）が形成されている。なお、第１の副空間ＳＳ１は、第１の隔壁２１と、第１の区画壁１３及び第４の区画壁１３と、第１の周壁１１の半部及び第７の周壁の半部及び第８の周壁の全体とにより囲まれる空間であり、当該囲繞空間部分の底壁３０の上面を底面とする空間である。また、第２の副空間ＳＳ２は、第２の隔壁２１と、第１の区画壁１３及び第２の区画壁１３と、第１の周壁１１の半部及び第２の周壁の全体及び第３の周壁の半部とにより囲まれる空間であり、当該囲繞空間部分の底壁３０の上面を底面とする空間である。また、第３の副空間ＳＳ３は、第３の隔壁２１と、第２の区画壁１３及び第３の区画壁１３と、第３の周壁１１の半部及び第４の周壁の全体及び第５の周壁の半部とにより囲まれる空間であり、当該囲繞空間部分の底壁３０の上面を底面とする空間である。また、第４の副空間ＳＳ４は、第４の隔壁２１と、第３の区画壁１３及び第４の区画壁１３と、第５の周壁１１の半部及び第６の周壁の全体及び第７の周壁の半部とにより囲まれる空間であり、当該囲繞空間部分の底壁３０の上面を底面とする空間である。そして、前記隔壁２１の第１〜第４の通水孔２２〜２５は、それぞれ、副空間部１０の第１〜第４の副空間ＳＳ１〜ＳＳ４と主空間部２０の主空間ＭＳとを連通し、後述する底壁３０の傾斜底面３１〜３８と協働して、第１〜第４の副空間ＳＳ１〜ＳＳ４から主空間ＭＳへ向かう一方向のみの通水及び排水を行う（逆方向の通水及び排水は阻止する）通水手段として機能する。
【００２９】
［底壁の上面及び下面］
底壁３０の上面は、前記副空間部１０の底面及び主空間部２０の底面を構成するが、この上面は、図４に示すように、正八角形状の底壁３０の外形に対応して、合計８個の傾斜底面３１〜３８に区画または分割されている。詳細には、底壁３０の上面は、上面からみた場合の（即ち、図３及び図４における）時計回り方向に、第１の傾斜底面３１、第２の傾斜底面３２、第３の傾斜底面３３、第４の傾斜底面３４、第５の傾斜底面３５、第６の傾斜底面３６、第７の傾斜底面３７、第８の傾斜底面３８を連続的に配置する構成とされている。また、第１〜第８の傾斜底面３１〜３８は、副空間部１０の周壁１１の内側面から主空間部２０の隔壁２１を介して（一体成形のため隔壁２１部分では構成上は遮断されているが）隔壁２１の内側（主空間部２０の主空間ＭＳ内部）に延びる全体構成となっている。また、第１〜第８の傾斜底面３１〜３８は、各々、異なる外形（輪郭）の三角形状となっている。一方、図５に示すように、底壁３０の下面３９は、基本的に、単純な平坦面となっている。また、底壁３０の所定位置には、その厚さ方向に貫通する排水孔３９ａが形成され、貫通孔３９ａの下端が底面３９の対応する所定位置で開口している。底壁３０における排水孔３９ａの配置位置は、主空間部２０の隔壁２１の内側であって、水栓パンを設置したときに水栓柱１への給水用の配管と干渉しない位置に設定される。
【００３０】
［底壁の排水孔］
即ち、図３に示すように、水栓パンを所定の設置場所の設置面（水平面）に設置する場合、副空間部２０のいずれか一つの周壁１１の長さ方向中央に水栓柱１が立設して配設されると共に、給水用の配管ＷＰが、底壁３０の下方の地中に埋設して配置される。この配管ＷＰは、水栓柱１を配置した周壁２１と１８０度反対側の周壁２１の長さ方向中央から当該水栓中１の下端まで延びる配設され、その先端（上流端）が水栓柱１の内部の配管の下端に連結される。したがって、底壁３０の排水孔３９ａは、この配管ＷＰの配設経路上に配置されると、排水孔３９ａからの排水経路が配管ＷＰの配設経路と干渉して不具合を生じる可能性があるため、底壁３０における配管ＷＰの配設経路以外の部位に配置される。好ましくは、排水孔３９ａは、底壁３０の主空間ＭＳ部分において、隣接する隔壁２１間のコーナー部のうち、配管ＷＰの配設経路を外した（配設経路上にない）コーナー部の内側近傍位置（内側領域の所定範囲内）に配置される。換言すれば、水栓柱１は、通常、水栓パンの平面方向における中心線（左右中心線、上下中心線等）上であって水栓パンの外周縁近傍位置に配設されるため、底壁３０に対する配管ＷＰの配設経路は、水栓パンの当該水栓柱が配設される中心線上を通ることになる。したがって、底壁３０の排水孔３９ａは、配管ＷＰの配設経路となる水栓パンの当該中心線から外れた位置（中心線上にない位置）に配置され、好ましくは、これに加え、配管ＷＰの配設経路を外した（配設経路上にない）上記コーナー部の内側近傍位置等、平面視において、水栓パンの中心位置（特に、主空間部２０の主空間の中心位置）から偏心した位置に配置される。
【００３１】
ここで、本実施の形態では、主空間部２０の外側に副空間部１０が上下方向及び左右方向（並びに、これらと４５度で交差する方向にも）線対称となるような外形輪郭（正方形に対する正八角形）で配設されるため、副空間部１０の中心位置は主空間部２０の中心位置と一致する。また、副空間部１０が水栓パン全体の外形輪郭を規定するため、水栓パンの中心位置は副空間部２０の中心位置（及び主空間部１０の中心位置）とも一致する。しかし、底壁３０の排水孔３９ａの配置位置は、水栓パンの中心位置（即ち、副空間部２０の中心位置及び主空間部１０の中心位置）から偏心した位置とする。一方、主空間部２０の外側に副空間部１０が上下方向や左右方向等に線対称となるような外形輪郭で配設されず（即ち、非対称的な態様で配設され）、上下方向や左右方向（或いはその他の方向）にずれた状態で配設される場合、副空間部１０の中心位置は主空間部２０の中心位置と一致しない。この場合、水栓パン全体の中心位置は、副空間部の中心位置として把握されるが、水栓柱１の散水栓２からの水を受ける主空間部１０が水受け空間（主空間ＭＳ）として機能することから、底壁３０の排水孔３９ａの配置位置は、副空間部の中心位置（或いは、水栓パン全体の中心位置）ではなく、主空間部２０の中心位置から偏心した位置とする。
【００３２】
例えば、図３中の二点鎖線で示すように、水栓柱１が副空間部１０の第２の周壁（図３中の左上側の周壁）２１の側方直近位置に立設される場合、配管ＷＰは、第６の周壁（右下側の周壁）２１の長さ方向中央から第２の周壁２１の長さ方向中央を超えて水栓柱１まで延びるよう配設されるため、排水孔３９ａは、４つある隔壁２１間のコーナー部のうち、いずれの内側近傍位置にも配置することができる。一方、水栓柱１が副空間部１０の第３の周壁（図３中の上側の周壁）２１の側方直近位置に立設される場合、配管ＷＰは、第７の周壁（下側の周壁）２１の長さ方向中央から第３の周壁２１の長さ方向中央を超えて水栓柱１まで延びるよう配設されるため、排水孔３９ａは、４つある隔壁２１間のコーナー部のうち、第１及び第２の隔壁２１間のコーナー部、及び、第３及び第４の隔壁２１間のコーナー部のいずれかの内側近傍位置に配置する必要がある。本実施の形態では、排水孔３９ａは、第１及び第２の隔壁２１間のコーナー部の内側近傍位置に配置されている。
【００３３】
図４に示すように、底壁３０の排水孔３９ａの上端は底壁３０の上面で開口し、当該排水孔３９ａの上端開口には、配管用の目皿部材４１が嵌合して装着され、排水中の大きなごみ等の異物を遮断して、当該異物が配管内に進入することを防止するようになっている。図６、図８及び図９に示すように、目皿部材４１は円筒状をなし、その下端が底壁３０の底面３９から若干下方に突出している。また、図５に示すように、底壁３０の底面３９の８つの外周縁のうち、底壁３０の直径方向に対向する２つの外周縁の中央部には、それぞれ、対をなすように把持凹部３９ｂが形成されている。図７に示すように、把持凹部３９ｂは、底壁３０の底面３９から周壁１１の下端部まで延びる凹部である。実施の形態１では、一対の把持凹部３９ｂは、前記周壁１１のうち、図４中の左右（及び図５中の左右）にある第１の周壁１１及び第５の周壁の下端中央部に形成されており、作業者が水栓パンを移動したり所定の設置場所に設置したりする際に、一対の把持凹部３９ｂに手指を差し入れて把持等し、水栓パンの移動作業や設置作業を容易に行えるようにしている。
【００３４】
［底壁の傾斜底面］
底壁３０の第１〜第８の傾斜底面３１〜３８の前記三角形状は、水栓パンの外形（輪郭）を構成する副空間部１０の外形（輪郭）である正八角形の頂点と底壁３０の排水孔３９ａとを結ぶ直線により形成される三角形状に設定されている。ここで、上記のとおり、底壁３０の排水孔３９ａは、（副空間部が主空間部に対して上記非対称的な態様で配設された場合も含めて）主空間部１０の中心位置に対して偏心した位置に配置されている。したがって、底壁３０の第１〜第８の傾斜底面３１〜３８の各々の三角形状は、かかる排水孔３９ａの平面方向における偏心位置に応じて高さ（周壁１１から排水孔３９ａまでの長さ）や形状（側辺の長さや底角や頂角）が異なる三角形（即ち、それぞれ異なる形状の三角形状）となる。更に、排水孔３９ａの前記平面方向に偏心した配置位置に応じて、各傾斜底面３１〜３８から当該排水孔３９ａまでの距離が増減変更し、各傾斜底面３１〜３８の基端の辺の高さ位置と排水孔３９ａの上端の高さ位置との関係（高さ方向の間隔）も変わることになるため、排水孔３９ａの前記平面方向に偏心した配置位置に応じて、各傾斜底面３１〜３８の傾斜角度も変更されることにある。また、副空間部１０の頂点は、隣接する周壁１１間のコーナー部の頂点であるが、このコーナー部の頂点は、周壁１１が所定厚み（実施の形態１では一定厚み）を有する。したがって、底壁３０の第１〜第８の傾斜底面３１〜３８の各三角形状の底辺の両端を規定する頂点は、当該コーナー部における外側の頂点（周壁１１の外側面における頂点）または外側の頂点（周壁１１の内側面における頂点）とすることができ、或いは、当該外側の頂点と内側の頂点との間の任意の位置の点とすることもできる。更に、底壁３０の第１〜第８の傾斜底面３１〜３８の各三角形状の頂点（斜辺の上端）を規定する頂点は、排水孔３９ａの中心位置とすることが好ましいが、排水孔３９ａの面積の範囲内（上端開口の範囲内）における（中心以外の）任意の位置とすることもできる。
【００３５】
具合的には、図４に示すように、第１の傾斜底面３１は、第１の周壁１１の（内側面の）両端位置と排水孔３９ａの中心位置とを結ぶことで画定される三角形状の平坦面であり、第２の傾斜底面３２は、第２の周壁１１の（内側面の）両端位置と排水孔３９ａの中心位置とを結ぶことで画定される三角形状の平坦面であり、第３の傾斜底面３３は、第３の周壁１１の（内側面の）両端位置と排水孔３９ａの中心位置とを結ぶことで画定される三角形状の平坦面であり、第４の傾斜底面３４は、第４の周壁１１の（内側面の）両端位置と排水孔３９ａの中心位置とを結ぶことで画定される三角形状の平坦面であり、第５の傾斜底面３１は、第５の周壁１１の（内側面の）両端位置と排水孔３９ａの中心位置とを結ぶことで画定される三角形状の平坦面であり、第６の傾斜底面３１は、第６の周壁１１の（内側面の）両端位置と排水孔３９ａの中心位置とを結ぶことで画定される三角形状の平坦面であり、第７の傾斜底面３１は、第７の周壁１１の（内側面の）両端位置と排水孔３９ａの中心位置とを結ぶことで画定される三角形状の平坦面であり、第８の傾斜底面３１は、第８の周壁１１の（内側面の）両端位置と排水孔３９ａの中心位置とを結ぶことで画定される三角形状の平坦面である。
【００３６】
［底壁の傾斜底面と隔壁の通水孔］
このようにして外形（三角形）が設定された底壁３０の第１〜第８の傾斜底面３１〜３８は、主空間部２０の第１〜第４の隔壁２１及び第１〜第４の通水孔２２〜２５に対して、以下のような位置関係となる。即ち、第１の傾斜底面３１は、その底辺側の一部が副空間部２０において第１の区画壁１３により左右にほぼ２分割され、その残りの部分（頂点側部分）が主空間部１０の内側に配置されている。また、第１の傾斜底面３１のうち、第１の区画壁１３により２分割されたうちの一方は、その一部（第１の区画壁１３から離間する側の部分）が第１の隔壁２１の第１の通水孔２２と連通して頂点側部分に連続する傾斜面を構成しており、２分割されたうちの他方は、その一部（第１の区画壁１３から離間する側の部分）が第２の隔壁２１の第２の通水孔２３と連通して頂点側部分に連続する傾斜面を構成している。一方、第１の傾斜底面３１のうち、前記第１の通水孔２２及び第２の通水孔２３と連通しない部位は、第１及び第２の隔壁２１により遮断されることとなるが、当該遮断部位は、それぞれ、第１及び第２の隔壁２１の下端縁に沿って、第１及び第２の通水孔２２，２３に向かって下方に傾斜して延びている。
【００３７】
第２の傾斜底面３２は、底辺側部分の略全体が第２の隔壁２１の第２の通水孔２３と連通して頂点側部分の略全体に連続する傾斜面を構成している。一方、図４の例では、第２の傾斜底面３２は、その微小部分が第２の隔壁２１の第２の通水孔２３の左端面２３ｂ側の一部と重なるため、当該微小部分で第２の隔壁２１に遮断されることになるが、当該遮断部位は、第２の隔壁２１の下端縁に沿って、第２の通水孔２３に向かって下方に傾斜して延びている。第３の傾斜底面３３は、その底辺側の一部が副空間部２０において第２の区画壁１３により左右にほぼ２分割され、その残りの部分（頂点側部分）が主空間部１０の内側に配置されている。また、第３の傾斜底面３３のうち、第２の区画壁１３により２分割されたうちの一方は、その全体が第２の隔壁２１により完全に遮断されて第２の通水孔２３とは連通していないが、２分割されたうちの他方は、その一部（第２の区画壁１３から離間する側の部分）が第３の隔壁２１の第３の通水孔２４と連通して頂点側部分に連続する傾斜面を構成している。一方、第３の傾斜底面３３のうち、前記第２の通水孔２３及び第３の通水孔２４と連通しない部位は、第２及び第３の隔壁２１により遮断されることとなるが、当該遮断部位は、それぞれ、第２及び第３の隔壁２１の下端縁に沿って、第２及び第３の通水孔２３，２４に向かって下方に傾斜して延びている。
【００３８】
第４の傾斜底面３４は、底辺側部分の略全体が第３の隔壁２１の第３の通水孔２４と連通して頂点側部分の略全体に連続する傾斜面を構成している。一方、図４の例では、第４の傾斜底面３４は、その小部分が第３の隔壁２１の第３の通水孔２４の左端面２４ｂ側の一部と重なるため、当該小部分で第３の隔壁２１に遮断されることになるが、当該遮断部位は、第３の隔壁２１の下端縁に沿って、第３の通水孔２４に向かって下方に傾斜して延びている。第５の傾斜底面３５は、その底辺側の一部が副空間部２０において第３の区画壁１３により左右にほぼ２分割され、その残りの部分（頂点側部分）が主空間部１０の内側に配置されている。また、第５の傾斜底面３５のうち、第３の区画壁１３により２分割されたうちの一方及び他方の双方とも、その全体が第３及び第４の隔壁２１により完全に遮断されて第３及び第４の通水孔２４，２５とは連通していない。このように、第５の傾斜底面３５は、前記２分割された双方ともが第３の通水孔２４及び第４の通水孔２５と連通しておらず、全体が第３及び第４の隔壁２１により遮断されることとなるが、当該遮断部位は、それぞれ、第３及び第４の隔壁２１の下端縁に沿って、第３及び第４の通水孔２４，２５に向かって下方に傾斜して延びている。
【００３９】
第６の傾斜底面３６は、底辺側部分の略全体が第４の隔壁２１の第４の通水孔２５と連通して頂点側部分の略全体に連続する傾斜面を構成している。一方、図４の例では、第６の傾斜底面３６は、その小部分が第４の隔壁２１の第４の通水孔２５の右端面２５ａ側の一部と重なるため、当該小部分で第４の隔壁２１に遮断されることになるが、当該遮断部位は、第４の隔壁２１の下端縁に沿って、第４の通水孔２５に向かって下方に傾斜して延びている。第７の傾斜底面３７は、その底辺側の一部が副空間部２０において第４の区画壁１３により左右にほぼ２分割され、その残りの部分（頂点側部分）が主空間部１０の内側に配置されている。また、第７の傾斜底面３７のうち、第４の区画壁１３により２分割されたうちの一方は、その一部（第４の区画壁１３から離間する側の部分）が第４の隔壁２１の第４の通水孔２５と連通して頂点側部分に連続する傾斜面を構成しているが、２分割されたうちの他方は、その全体が第１の隔壁２１により完全に遮断されて第１の通水孔２２とは連通していない。一方、第７の傾斜底面３７のうち、前記第４の通水孔２５及び第１の通水孔２２と連通しない部位は、第４及び第１の隔壁２１により遮断されることとなるが、当該遮断部位は、それぞれ、第４及び第１の隔壁２１の下端縁に沿って、第４及び第１の通水孔２５，２２に向かって下方に傾斜して延びている。第８の傾斜底面３８は、底辺側部分の略全体が第１の隔壁２１の第１の通水孔２２と連通して頂点側部分の略全体に連続する傾斜面を構成している。一方、図４の例では、第８の傾斜底面３８は、その微小部分が第１の隔壁２１の第１の通水孔２２の右端面２２ａ側の一部と重なるため、当該微小部分で第１の隔壁２１に遮断されることになるが、当該遮断部位は、第１の隔壁２１の下端縁に沿って、第１の通水孔２２に向かって下方に傾斜して延びている。
【００４０】
ここで、副空間部１０を時計回り方向に見ると、第１の副空間ＳＳ１には、第７の傾斜底面３７の基端部の左側部、第８の傾斜底面３８の基端部の全体、第１の傾斜底面３１の基端部の右側部が連続して順に配置され、第２の副空間ＳＳ２には、第１の傾斜底面３７の基端部の左側部、第２の傾斜底面３８の基端部の全体、第３の傾斜底面３１の基端部の右側部が連続して順に配置され、第３の副空間ＳＳ３には、第３の傾斜底面３３の基端部の左側部、第４の傾斜底面３４の基端部の全体、第５の傾斜底面３５の基端部の右側部が連続して順に配置され、第４の副空間ＳＳ４には、第５の傾斜底面３５の基端部の左側部、第６の傾斜底面３６の基端部の全体、第７の傾斜底面３７の基端部の右側部が連続して順に配置されている。また、主空間部２０の主空間ＭＳには、第１〜第８の傾斜底面の先端部（基端部以外の部分）が時計回り方向に連続して順に配置されている。
【００４１】
更に、前記底壁３０の傾斜底面３１〜３９との関係で、図９に示すように、前記主空間部２０の隔壁２１の第１〜第４の通水孔２２〜２５は、貫通方向（隔壁２１の厚さ方向）における側面の断面視においても、外側から内側に向かって所定テーパー率で拡径するテーパー状の貫通空間となっている。詳細には、第１〜第４の通水孔２２〜２５の下面は、第１〜第８の傾斜底面３１〜３８のうちの対応する傾斜底面と同一の傾斜角度で（外側から内側に向かって下方に）傾斜する傾斜面であり、一つの通水孔に複数の傾斜底面が存在する（複数の傾斜底面が通過する）場合は、通水孔の下面は、当該複数の傾斜底面に対応する複数の傾斜状の下面となる。即ち、第１〜第４の通水孔２２〜２５の下面は、第１〜第８の傾斜底面３１〜３８のうちの対応する傾斜底面の数及び傾斜角度に応じて構成となり、この意味において、第１〜第４の通水孔２２〜２５の下面は、第１〜第８の傾斜底面３１〜３８の一部（通水孔２２〜２５部分）を構成する。一方、第１〜第４の通水孔２２〜２５の上面は、いずれも、所定角度で（外側から内側に向かって上方に）傾斜する傾斜面である。なお、第１〜第４の通水孔２２〜２５の上面の傾斜角度は、全て同一角度としてもよく、異なる角度としてもよいが、成形金型の設計及び製造を簡単にする等の観点から、同一角度とすることが好ましい。また、第１〜第４の通水孔２２〜２５の下面の傾斜角度は、第１〜第８の傾斜底面３１〜３８の傾斜角度に依存するが、当該第１〜第８の傾斜底面３１〜３８の傾斜角度は、副空間部１０の内周面（即ち、周壁１１の内側面）から底壁３０の排水孔３９ａまでの距離（傾斜長さ）と、周壁１１の下端から排水孔３９ａの上端までの距離（傾斜深さ）とにより決定され、（当該傾斜深さは同一であるので）当該傾斜距離の短い傾斜底面（第１の傾斜底面３１等）の方が、傾斜距離の長い傾斜底面（第５の傾斜底面３５等）よりも傾斜角度は相対的に大きくなる。
【００４２】
［製造装置］
実施の形態１の水栓パンは、上記各部からなる上記所定形状（図１〜図９に示す形状）となるよう、所定のセメント材料を所定の成形金型を使用してコンクリート成形技術により一体成形される。具体的には、まず、上記各部からなる上記所定形状となるよう、コンクリート成形品成形用の成形金型を製作して用意する。例えば、成形金型は、水栓パンの全体形状を構成する８個の周壁１１が連続する平面視で正八角形状の外側面と、底壁３０の下面３９（排水孔３９ａに対応する凸部、及び、一対の把持凹部３９ｂに対応する一対の凸部を含む）とからなるキャビティと、副空間部１０の各副空間ＳＳ１〜ＳＳ４部分の第１のコアと、主空間部２０の主空間ＭＳ部分の第２のコアとを備える構成となる。なお、キャビティにおける排水孔３９ａ用の凸部は、抜き勾配を確保すべく、下方に向かって拡径するテーパー状の断面形状とされている。また、キャビティにおける把持凹部３９ｂ用の凸部にも抜き勾配が設けられている。ここで、本実施の形態の水栓パンは、上記した第１〜第４の通水孔２２〜２５部分がアンダーカットとなるため、アンダーカット処理が必要となる。そこで、例えば、少なくとも、第１〜第４の通水孔２２〜２５に対応する第２のコアをスライドコア（またはスライド可能な入れ子構造）として、外側（副空間部１０側）から内側（主空間部２０側）へとスライド自在とする。
【００４３】
［主空間用の入れ子の一例］
具体的な一例を挙げると、まず、主空間ＭＳ用の第２のコアとしての入れ子であって、第１〜第８の傾斜底面３１〜３８のうち、第１〜第４及び第６〜第８の傾斜底面３１〜３４，３６〜３８用の入れ子として、主空間部２０の主空間ＭＳに位置する部分（支持突部２６〜２９部分は除く）と、第１〜第４の通水孔２２〜２５に位置する部分とを合体した形状の平面形状（及び下面形状）を有する合計７個の入れ子を用意する。この７個の入れ子は、通水孔２２〜２５を通過する傾斜底面３１〜３４，３６〜３８用の入れ子とする。そして、これらの入れ子には、その基端側（副空間部１０に近接する側）に、対応する通水孔２２〜２５部分の形状に対応する突部（アンダーカット形成部）を形成する。当該突部は、図４において、各傾斜底面３１〜３４，３６〜３８のうち第１〜第４の通水孔２２〜２５部分の形状と同一の平面形状を有すると共に、図９に示す第１〜第４の通水孔２２〜２５部分のテーパー状の断面形状の全部（第２の傾斜底面３２用の入れ子の突部のように、突部の全体が通水孔２２〜２５に挿着される場合）または一部（第３の傾斜底面３３用の入れ子のうち、第２の通水孔２３に対応する部分のように、その一部のみが通水孔２２〜２５に挿着される場合）に対応する断面形状を有している。即ち、この場合、各第１〜第４の通水孔２２〜２５には、当該通水孔２２〜２５に対応する傾斜底面３１〜３８の数に応じて、成形時に１個以上の入れ子が同時に密接状態で挿着されることになる。また、各通水孔２２〜２５に挿着される突部の形状は、通水孔２２〜２５における傾斜底面３１〜３４，３６〜３８の形状に応じて相違することになるが、通水孔２２〜２５内で一体化して、各通水孔２２〜２５と同一の凸形状を形成する。
【００４４】
なお、前記第１〜４及び第６〜第８の傾斜底面３１〜３４，３６〜３８用の入れ子のうち、第１〜第４の支持部２６〜２９に対応する入れ子（即ち、第１，３，４，７の傾斜底面３１，３３，３４，３７用の入れ子）は、上記突部に加え、当該突部に連続して、対応する第１〜第４の支持部２６〜２９の平面形状に対応する平面形状の基端面形状を有している。即ち、第１の傾斜底面３１用の入れ子は、平面視で、第１の支持部２６の内側面のアングル形状と（隔壁２１の内側面から突出する一対の端面の）端面形状とからなる基端面形状を有している。また、第３の傾斜底面３３用の入れ子は、平面視で、第２の支持部２７の内側面のアングル形状と（隔壁２１の内側面から突出する一対の端面の）端面形状とからなる基端面形状を有している。また、第４の傾斜底面３４用の入れ子は、平面視で、第３の支持部２８の一方の端部（第３の通水孔２４側の端部）における内側面部分の形状と（隔壁２１の内側面から突出する一方の端面の）端面形状とからなる基端面形状を有している。また、第６の傾斜底面３６用の入れ子は、平面視で、第３の支持部２８の他方の端部（第４の通水孔２５側の端部）における内側面部分の形状と（隔壁２１の内側面から突出する他方の端面の）端面形状とからなる基端面形状を有している。また、第７の傾斜底面３７用の入れ子は、平面視で、第４の支持部２９の内側面のアングル形状と（隔壁２１の内側面から突出する一対の端面の）端面形状とからなる基端面形状を有している。
【００４５】
一方、主空間ＭＳ用の入れ子であって、第１〜第８の傾斜底面３１〜３８のうち、第５の傾斜底面３５用の入れ子としては、主空間部２０の主空間ＭＳに位置する部分（第３の支持突部２８は除く）のみの平面形状（及び下面形状）を有する１個の入れ子を用意する。この入れ子は、上記突部は形成しておらず、対応する第３の支持部２８の内側面のアングル形状と（隔壁２１の内側面から突出する一対の端面の）端面形状とからなる基端面形状を有している。なお、第１〜第８の傾斜底面３１〜３８用の合計８個の入れ子の先端は、それぞれ、排水孔３９ａの外周縁位置まで延び、当該排水孔３９ａの外周縁形状（円形）に沿った湾曲形状となっている。
【００４６】
ここで、主空間ＭＳ用の入れ子は、その高さ（上下方向の厚み）を前記主空間ＭＳ内における第１〜第４の支持部２６〜２９の高さと同一高さに設定し、主空間部２０への装着時に、その上面が、第１〜第４の支持部２６〜２９の上端面位置と一致するようにすることができる。この場合、成形金型における主空間部２０形成用のコアとして、主空間ＭＳを画定する第１〜第４の隔壁２１の上端部分、即ち、第１〜第４の支持部２６〜２９より上側となる所定厚み部分（図示の例では、第１〜第４の支持部と同一高さとなる通水孔２２〜２５の内端面の上端位置より上側となる所定厚み部分）に対応する平板形状のコアを用意する。この主空間ＭＳの上端部用のコアは、抜き勾配を確保すべく、上方に向かって拡径するテーパー状の断面形状とする。或いは、上記各入れ子の高さを、主空間部２０の隔壁２１の上端位置まで延びる高さとして、平板形状のコアを省略することもできるが、成形性や成形後の仕上げ等の点からは、別箇の平板状のコアを用意することが好ましい。
【００４７】
［副空間用の入れ子の一例］
一方、４個の副空間ＳＳ１〜ＳＳ４用の第１のコアとしての入れ子としては、各副空間ＳＳ１〜ＳＳ４における各傾斜底面３１〜３８の形状と同一の平面形状（及び下面形状）の入れ子を用意する。この場合、第１、第３、第５及び第７の傾斜底面３１，３３，３５，３７が、それぞれ、第１〜第４の区画壁１３により２分割されため、第１〜第４の副空間ＳＳ１〜ＳＳ４に対して、それぞれ、３個ずつの入れ子が用意される。また、副空間ＳＳ１〜ＳＳ４用の入れ子は、その高さ（上下方向の厚み）を、副空間ＳＳ１〜ＳＳ４を画定する周壁１１の高さ及び隔壁２１の高さと同一高さに設定し、副空間部１０への装着時に、その上面が、周壁１１及び隔壁２１の上端面位置と一致するようにする。なお、このとき、入れ子の対向側面（隣接する入れ子と密接状態となる側面）は垂直面とするが、これに加え、入れ子の外側面（周壁１１側の側面）及び内側面（隔壁１１側の側面）の形状も、図１〜図４に示すように、垂直面とすることもできる。しかし、図８及び図９に示すように、入れ子の外側面及び内側面は（及び、区画壁１３と密接する側面を有する入れ子の場合は、当該区画壁１３との密接側面についても）、上方に向かって拡径するテーパー状の面として、抜き勾配を設けることが好ましい。
【００４８】
［製造方法］
実施の形態１の水栓パンは、上記のような成形金型のキャビティにコア（入れ子）を組み付けて成形空間を形成し、当該成形空間に所定のセメント材料を充填して養生し、所定時間放置することで固化した後、成形金型を脱型する（即ち、キャビティからコア（入れ子）を取り外す）ことにより、上記各部からなる上記所定形状（図１〜図９に示す形状）に一体成形される。この固化過程において、成形金型の第１のコアとしての副空間ＳＳ１〜ＳＳ４用の入れ子と、第２のコアとしての主空間ＭＳ用の入れ子とが、協働して、底壁３０の第１〜第８の傾斜底面３１〜３８を形成すると共に、第２のコアとしての主空間ＭＳ用の入れ子の前記突部が、第１〜第４の通水孔２２〜２５を形成する。また、脱型時には、第２のコアとしての主空間ＭＳ用の入れ子が、第１〜第４の通水孔２２〜２５のテーパー形状に対応するテーパー形状（アンダーカット形状）を有するため、容易に脱型作業を行うことができる。このようにして、所定形状（図１〜図９に示す形状）に一体成形したコンクリート成形品としての水栓パン（コンクリート部分）の底壁３０の排水孔３９ａに目皿部材４１を組み付けると共に、主空間ＭＳにグレーチング５０を嵌合し、第１〜第４の支持部２６〜２９により支持して組み付けることで、本実施の形態の最終製品としての水栓パンが完成する。
【００４９】
［使用方法並びに作用及び効果］
上記水栓パンは、所定の設置場所の水平面に水平状態で設置して固定される。このとき、水栓パンは、その上端面（周壁１１、区画壁１３及び隔壁２１の上端面）が設置場所の地面とほぼ同一高さ位置となって面一となるよう地中に埋設して設置することで、全体的な露出（特に外側面の露出）が抑制され、従来にない意匠的な効果（モダンな雰囲気等）を発揮することができる。なお、水栓パンの設置に先立ち、図３中に二点鎖線で示すように、水栓パンの設置場所の直近位置には水栓柱１が立設される。更に、水栓パンの設置場所の直下の地中には給水用の配管が埋設され、その先端（上流端）が水栓柱１内部の配管の下端に連結される。更にまた、水栓パンの設置に先立ち、水栓パンの設置場所において水栓パンの底壁３０の排水孔３９ａに整合する位置には、排水管の基端（上流端）が上方に向けて開口するよう配設される。これにより、水栓パンを所定の設置場所に設置したときに、水栓柱１の散水栓２からの給水は、（そのまま、或いは、使用者の手洗い等により飛散して）水栓パンの主空間部２０の主空間ＭＳ内にグレーチング５０を介して落下する。そして、主空間ＭＳに落下した水は、第１〜第８の傾斜底面３１〜３８に沿って案内され、排水孔３９ａに落下して、排水孔３９ａに連通する排水管に収容される。
【００５０】
一方、水栓パンの副空間部１０の副空間ＳＳ１〜ＳＳ４は、それぞれ、玉砂利や植栽等による装飾機能付加等の目的で使用可能な付加的空間または付加機能部分として機能する。例えば、使用者の嗜好に応じて、４つの副空間ＳＳ１〜ＳＳ４に異なる種類の玉砂利（例えば、白色の玉砂利と黒色の玉砂利）を交互に充填したり、４つの副空間ＳＳ１〜ＳＳ４にそれぞれ別個の種類の玉砂利を充填したりすることもできる。例えば、副空間ＳＳ１〜ＳＳ４がこの順で東西南北の各方位に向かうよう水栓パンを設置すると共に、風水で方位を司る四神であるとされている青竜、朱雀、白虎、玄武を表すべく、青色の玉砂利を東側に位置する副空間に充填し、赤色（朱色）の玉砂利を南側に位置する副空間に充填し、白色の玉砂利を西側に位置する副空間に充填し、黒色（玄色）の玉砂利を北側に位置する副空間に充填することもできる。或いは、水栓パンの副空間ＳＳ１〜ＳＳ４には、土壌を充填すると共に、植生（草花等）を植栽することもできる。
【００５１】
ここで、設置した水栓パンの副空間ＳＳ１〜ＳＳ４には、雨水や水栓柱１の散水栓２殻の給水の一部が進入することがあるが、副空間ＳＳ１〜ＳＳ４に玉砂利等の隙間を介して進入した雨水等の水は、副空間ＳＳ１〜ＳＳ４部分の第１〜第８の傾斜底面３１〜３８に沿って隔壁２１の第１〜第４の通水孔２２〜２５へと流動し、第１〜第４の通水孔２２〜２５を介して、主空間ＭＳ部分の第１〜第８の傾斜底面３１〜３８に沿って最終的に底壁３０の排水孔３９ａへと案内され、排水孔３９ａから落下して下方の排水管に排水される。このとき、底壁３０の第１〜第８の傾斜底面３１〜３８は、それぞれ、水栓パンの外形輪郭を画定する正八角形の頂点（即ち、周壁１１の頂点部分）から排水孔３９ａに向かう三角形状の底面を形成しているため、副空間ＳＳ１〜ＳＳ４の水は、当該正八角形位の頂点から（対応する傾斜底面３１〜３８の三角形状の面に沿って）排水孔３９ａへと円滑に案内される。また、このとき、副空間ＳＳ１〜ＳＳ４における傾斜底面３１〜３８の一部は、通水孔２２〜２５に完全に連続しておらず、隔壁１１に遮断されているが、この場合も、当該傾斜底面３１〜３８の一部からの水は、当該傾斜底面が対応する通水孔２２〜２５に向かって下方に傾斜する傾斜状態となっているため、やはり、隔壁１１に沿って通水孔２２〜２５へと案内されて円滑に流動し、最終的に、通水孔２２〜２５を介して主空間ＭＳの排水孔３９ａへと円滑に案内される。したがって、本実施の形態の水栓パンは、副空間ＳＳ１〜ＳＳ４の水を非常に効率的に所定の排水経路で（即ち、排水孔３９ａを介して排水管へと）排水することができる。
【００５２】
また、一般的な水栓パンにはグレーチングは設けられていないが、本実施の形態の水栓パンは、グレーチング５０を装着しているため、従来にない独特の意匠的効果を発揮することができると共に、グレーチング５０がない場合のように水栓柱１の散水栓２からの放水が水栓パンの主空間ＭＳの底面に直接衝突して使用者に跳ね返る等の事態を防止することができる。また、本実施の形態の水栓パンは、グレーチング５０を取り外して一般的な水栓パンと同様の使用形態で使用することもでき、グレーチング５０を装着した場合と装着しない場合とで異なる意匠的効果を発揮するようにすることもできるが、更に、グレーチングを取り外した状態で、主空間部２０の主空間ＭＳに玉砂利等の透水性材料を充填することもできる。こうすると、水栓パンの副空間ＳＳ１〜ＳＳ４に充填した玉砂利等による装飾効果に加え、主空間ＭＳでも装飾効果等の所定の付加的機能を発揮することができる。この点でも、本実施の形態の水栓パンは、美的デザインの面からの多様性を増すことができ、その意匠性を更に向上することができる。
【００５３】
更に、本実施の形態の水栓パンは、本体部分（グレーチング５０以外の部分）が全てコンクリート製であるため、従来の合成樹脂製やＦＲＰ（繊維強化プラスチック）製や陶器製やステンレス製等の水栓パンと比較して、重厚感があり、かつ、モダンでクールな印象を与えると同時に、耐久性を大幅に向上することができる。加えて、本実施の形態の水栓パンは、（地中に埋設したときに視覚的に認識される）平面視で、１個の正方形（主空間部２０の主空間ＭＳ）を中心として、その外周に当該正方形を四方から囲むように４個の台形（副空間部１０の副空間ＳＳ１〜ＳＳ４）を配置して組み合わせた外観デザインを有し、更に、その外観デザインが、全体的には正八角形の外形輪郭を呈するため、それ自体の外観デザインも非常にユニークなものとなり、全く従来にない意匠的効果を発揮することができる。また、かかるユニークな正八角形の外観デザインと組み合わせる形で、副空間ＳＳ１〜ＳＳ４に玉砂利等による装飾的効果を付加することで、更に多種多様なデザイン性を発揮することができる。或いは、本実施の形態の水栓パンは、図３に示すように、接地面（水平面）における水栓柱１に対する姿勢を４５度変更することもでき、その意匠的多様性を更に増大することもできる。
【００５４】
実施の形態２
図１０に示すように、実施の形態２に係る水栓パンは、実施の形態１の水栓パンと同様の平面正方形状の主空間部２０を備えており、主空間部２０内に支持部２６〜２９を一体形成している。一方、実施の形態２に係る水栓パンは、当該主空間部２０の周囲を包囲するよう配設される副空間部１１０の外形輪郭を正六角形としている。詳細には、水栓パンは、平面正六角形状の底壁１３０の外周縁（６つの外側縁）に６個の平板状の周壁１１１をそれぞれ立設することで、正六角形の外形輪郭を形成している。なお、図示の例の場合、主空間部２０の輪郭である正方形の一つの対角線上にある一対のコーナー部（図１０中の上下のコーナー部）が、副空間部１１０の輪郭である正六角形の一つの対角線上にある一対のコーナー部（図１０中の上下のコーナー部）と対向するよう、主空間部２０の周囲に副空間部１１０が配置されている。また、主空間部２０の各コーナー部は、実施の形態１と同様にして、前記区画壁１３により副空間部１３０に連結されている。これにより、副空間部１１０には４個の副区間が形成される。更に、底壁１３０は、正六角形状の外形輪郭を有するため、その６個の頂点から底壁１３０の排水孔３９ａ（目皿部材４１）に延びる三角形も６個となり、第１〜第６の傾斜底面１３１〜１３６を備えることになる。なお、各傾斜底面１３１〜１３６と主空間部２０の第１〜第４の通水孔２２〜２５との関係は、図１０のとおりであり、基本的には、実施の形態１における傾斜底面３１〜３８と通水孔２２〜２５との関係と同様である。また、主空間部２０と底壁１３０の排水孔３９ａ（目皿部材４１）との相対位置関係、並びに、副空間部１１０と底壁１３０の排水孔３９ａ（目皿部材４１）との相対位置関係も実施の形態１の場合と同様であり、各傾斜底面１３１〜１３６と、傾斜底面１３１〜１３６の三角形状の頂点位置にある底壁１３０の排水孔３９ａ（目皿部材４１）との相対位置関係も、実施の形態１の場合と同様となっている。
【００５５】
実施の形態２に係る水栓パンは、実施の形態１の水栓パンと同様の製造装置により同様の製造方法で製造され、同様の使用方法で使用されて、同様の作用効果を発揮する。
【００５６】
実施の形態３
図１１に示すように、実施の形態３に係る水栓パンは、実施の形態１の水栓パンと同様の平面正方形状の主空間部２０を備えており、主空間部２０内に支持部２６〜２９を一体形成している。一方、実施の形態３に係る水栓パンは、当該主空間部２０の周囲を包囲するよう配設される副空間部２１０の外形輪郭を正方形としている。詳細には、水栓パンは、平面正方形状の底壁２３０の外周縁（４つの外側縁）に４個の平板状の周壁２１１をそれぞれ立設することで、正方形の外形輪郭を形成している。なお、図示の例の場合、主空間部２０の輪郭である正方形の各コーナー部が、副空間部２１０の輪郭である正方形の各辺の中央位置と対向するよう、主空間部２０の周囲に副空間部２１０が配置されている。また、主空間部２０の各コーナー部は、実施の形態１と同様にして、前記区画壁１３により副空間部１３０に連結されている。これにより、副空間部２１０には４個の副区間が形成される。更に、底壁２３０は、正方形状の外形輪郭を有するため、その４個の頂点から底壁２３０の排水孔３９ａ（目皿部材４１）に延びる三角形も４個となり、第１〜第４の傾斜底面２３１〜２３４を備えることになる。なお、各傾斜底面２３１〜２３４と主空間部２０の第１〜第４の通水孔２２〜２５との関係は、図１１のとおりであり、基本的には、実施の形態１における傾斜底面３１〜３８と通水孔２２〜２５との関係と同様である。また、主空間部２０と底壁２３０の排水孔３９ａ（目皿部材４１）との相対位置関係、並びに、副空間部２１０と底壁２３０の排水孔３９ａ（目皿部材４１）との相対位置関係も実施の形態１の場合と同様であり、各傾斜底面２３１〜２３４と、傾斜底面２３１〜２３４の三角形状の頂点位置にある底壁２３０の排水孔３９ａ（目皿部材４１）との相対位置関係も、実施の形態１の場合と同様となっている。
【００５７】
実施の形態３に係る水栓パンは、実施の形態１の水栓パンと同様の製造装置により同様の製造方法で製造され、同様の使用方法で使用されて、同様の作用効果を発揮する。
【００５８】
実施の形態４
図１２に示すように、実施の形態４に係る水栓パンは、実施の形態１の水栓パンと同様の平面正方形状の主空間部２０を備えており、主空間部２０内に支持部２６〜２９を一体形成している。一方、実施の形態４に係る水栓パンは、当該主空間部２０の周囲を包囲するよう配設される副空間部３１０の外形輪郭を円形（正円形）としている。詳細には、水栓パンは、平面円形状の底壁３３０の外周縁を所定直径の短円筒状の周壁３１１により構成することで、円形の外形輪郭を形成している。ここで、図示の例の場合、副空間部３１０の輪郭は円形であり、底壁３３０もこれに対応して円形であるが、底壁３３０の傾斜底面３３１〜３３８の態様は、例えば実施の形態の１の底壁３０の傾斜底面３１〜３８と同様とすることができる（実施の形態２〜３と同様とすることもできる）。具体的には、副空間部３１０及び底壁３３０の円形の外形を、所定の多角形の外形、例えば、実施の形態１の副空間部１０及び底壁３０の外形である正八角形で代替した態様を想定する（図１２中の二点鎖線の外形）。そして、主空間部２０の輪郭である正方形の各コーナー部が、副空間部３１０の輪郭であると想定した正八角形の一つ置きの辺の中央位置と対向するよう、主空間部２０の周囲に副空間部３１０を配置する。また、主空間部２０の各コーナー部は、実施の形態１と同様にして、前記区画壁１３により副空間部３１０に（正八角形の副空間部１０の場合と同様の位置関係で）連結されている。これにより、副空間部３１０には４個の副区間が形成される。また、底壁３３０は、想定した正八角形状の外形輪郭に応じて、その（想定した）８個の頂点から底壁３３０の排水孔３９ａ（目皿部材４１）に延びる三角形も８個となり、第１〜第８の傾斜底面３３１〜３３８を備えている。なお、各傾斜底面３３１〜３３８と主空間部２０の第１〜第４の通水孔２２〜２５との関係は、図１２のとおりであり、基本的には、実施の形態１における傾斜底面３１〜３８と通水孔２２〜２５との関係と同様である。また、主空間部２０と底壁３３０の排水孔３９ａ（目皿部材４１）との相対位置関係、並びに、副空間部３１０と底壁３３０の排水孔３９ａ（目皿部材４１）との相対位置関係も実施の形態１の場合と同様であり、各傾斜底面３３１〜３３８と、傾斜底面３３１〜３３８の三角形状の頂点位置にある底壁３３０の排水孔３９ａ（目皿部材４１）との相対位置関係も、実施の形態１の場合と同様となっている。
【００５９】
実施の形態３に係る水栓パンは、実施の形態１の水栓パンと同様の製造装置により同様の製造方法で製造され、同様の使用方法で使用されて、同様の作用効果を発揮する。
【００６０】
［その他の別例］
なお、上記各実施の形態では、周壁１１，１１１，２１１，３１１及び区画壁１３の高さは、前記隔壁２１の高さと同一に設定されているが、本発明の水栓パンでは、これらの高さを相違させることも可能であり、例えば、周壁１１，１１１，２１１，３１１の高さを隔壁２１の高さより大きくして、区画壁１３が周壁１１，１１１，２１１，３１１から隔壁２１に向かって高さを漸減して延びるよう構成したり、これと逆に、隔壁２１の高さを周壁１１，１１１，２１１，３１１の高さより大きくして、区画壁１３が周壁１１，１１１，２１１，３１１から隔壁２１に向かって高さを漸増して延びるよう構成したりすることもでき、或いは、周壁１１，１１１，２１１，３１１の高さと隔壁２１の高さを相違させ、主空間部２０と副空間部１０，１１０，２１０，３１０とが段差状となるよう構成することもできる。しかし、いずれの場合も、底壁３０，１３０，２３０，３３０の底面は、上記のような傾斜底面３１〜３８，１３１〜１３６，２３１〜２３４，３３１〜３３８とする。
【００６１】
また、本発明の水栓パンでは、主空間部の形状も、正方形状とする以外に、任意の多角形状としたり、円形状等とすることもでき、また、副空間部の形状も、上記実施の形態の形状以外の多角形状としたり、楕円形状等の形状とすることもできる。いずれの場合も、水栓パンの傾斜底面は、上記のように、副空間部から主空間部へと連通する連通孔を設けると共に、副空間部の外形輪郭（及び底壁の外形輪郭）を所定の多角形状と把握した場合における、当該多角形のコーナー部の頂点と底壁の排水孔とを結ぶ線により画定される三角形状及び個数の傾斜底面となる。
【００６２】
また、本発明の水栓パンでは、コンクリートとして、通常の（セメントと砂や砂利等の骨材とからなる）コンクリート以外に、樹脂と骨材とからなるレジンコンクリート、通常のコンクリート中に鉄筋を入れた鉄筋コンクリート、並びに、セメントと骨材以外に樹脂やガラス繊維等を複合した繊維補強コンクリート等、任意のコンクリート材料を使用可能である。
【符号の説明】
【００６３】
１０：副空間部、１１：周壁、１３：隔壁、ＳＳ１〜ＳＳ４：副空間
２０：主空間部、２１：隔壁、ＭＳ：主空間
３０：底壁、３１〜３８：傾斜底面、３９ａ：排水孔
１１０：副空間部、１１１：周壁
１３０：底壁、１３１〜１３６：傾斜底面
２１０：副空間部、２１１：周壁
２３０：底壁、２３１〜２３４：傾斜底面
３１０：副空間部、３１１：周壁
３３０：底壁、３３１〜３３８：傾斜底面
【図１】
2013108296.tif 000003
【図２】
2013108296.tif 000004
【図３】
2013108296.tif 000005
【図４】
2013108296.tif 000006
【図５】
2013108296.tif 000007
【図６】
2013108296.tif 000008
【図７】
2013108296.tif 000009
【図８】
2013108296.tif 000010
【図９】
2013108296.tif 000011
【図１０】
2013108296.tif 000012
【図１１】
2013108296.tif 000013
【図１２】
2013108296.tif 000014